Podtech/llm-jp-corpus-v4-ja_patent huggingface dataset:
(57)【要約】【課題】  この発明は、市販のマスクに粘着できるようにした、使い捨て着脱可能な湾曲した両面テープ付きソフト圧縮鼻水吸い取りを提供する。【解決手段】  マスク（１）の内側に接着付き両面テープ（３）で圧縮綿鼻水吸い取り（２）を装着したことを特徴とした湾曲した両面テープ付きソフト圧縮綿鼻水吸い取り。【選択図】図１
2011235049.tif 000002
【特許請求の範囲】
【請求項１】
マスク（１）の内側に接着付き両面テープ（３）で圧縮綿鼻水吸い取り（２）を装着したことを特徴とした湾曲した両面テープ付きソフト圧縮綿鼻水吸い取り。
【発明の詳細な説明】
【技術分野】
【０００１】  この発明は、市販のマスクに粘着できるようにした、使い捨て着脱可能な湾曲した両面テープ付きソフト圧縮鼻水吸い取りである。
【背景技術】
【０００２】  １年中いろいろな花粉が飛び、黄砂に鼻風邪、アレルギー性鼻炎鼻水も水道の蛇口のように１日中鼻水が出る、とても辛くて大変である。
思考能力も低下してきます鼻水が口の中に入ってくるのでいつも鼻をかんでいる。
鼻の皮もむけて鼻の中は炎症を起こす。
たとえば、マスク着用時の息苦しさを低減させ、しかも、唾液や鼻水などの付着によるマスク本体の汚れを防ぐマスクが提案されている。（特許文献１参照）
【先行技術文献】
【０００３】
【特許文献１】  特開２０００−３１２７２４号公報
【発明が解決しようとする課題】
【０００４】  従来のマスクの中では鼻水はいつも垂れ流し状態であった。
鼻水が出たとき、そのままにしておくと口の中に入ってくる。
鼻をかんでばかりいると鼻の頭の皮もむけて鼻の中には炎症を起こす。
鼻は出たままで市販のマスクにこの湾曲した両面テープ付きソフト圧縮綿鼻水吸い取りで吸い取ってくれる。
本開発は以上の問題点を解決するものである。
【課題を解決するための手段】
【０００５】  マスク（１）の内側に接着付き両面テープ（３）で圧縮綿鼻水吸い取り（２）を装着したことを特徴とした湾曲した両面テープ付きソフト圧縮綿鼻水吸い取り。
【発明の効果】
【０００６】  本発明により、マスクにいつでも着脱自在にできる湾曲した両面テープ付きソフト圧縮綿鼻水吸い取りをつけると、簡単に鼻水を吸い取ることができる。
【図面の簡単な説明】
【０００７】
【図１】  本発明をマスクに粘着し装着した斜視図である。
【図２】  本発明をマスクに粘着し装着した正面図である。
【図３】  本発明の本体の説明図である。
【発明を実施するための形態】
【０００８】  以下、本発明の実施の形態を説明する
マスク（１）の内側に接着付き両面テープ（３）で圧縮綿鼻水吸い取り（２）を装着する。
本発明は以上のような構造である。
本発明を使用するときはマスクに両面テープを取りはがし湾曲した両面テープ付きソフト圧縮綿鼻水吸い取りを一般のマスクに接着して使用する。
その時湾曲した両面テープ付きソフト圧縮綿鼻水吸い取りがちょうど鼻の下にくる様にマスクに貼りつける
圧縮綿鼻水吸い取り（２）に香りをつけると、さらに効果的である。
たとえば、ミントの香りを付ける
【符号の説明】
【０００９】１  マスク
２  圧縮綿鼻水吸い取り
３  接着付き両面テープ
【図１】
2011235049.tif 000003
【図２】
2011235049.tif 000004
【図３】
2011235049.tif 000005
【図４】
2011235049.tif 000006
【手続補正書】
【提出日】平成22年6月13日(2010.6.13)
【手続補正１】
【補正対象書類名】明細書
【補正対象項目名】０００７
【補正方法】変更
【補正の内容】
【０００７】
【図１】  本発明をマスクに粘着し装着した斜視図である。
【図２】  本発明をマスクに粘着し装着した正面図である。
【図３】  本発明の本体の説明図である。
【図４】  本発明の使用状態を示した説明図である。
(57)【要約】      （修正有）【課題】ストーマを付けた人々に、よりよい生活が送れるようにストーマ袋の上部に栓付き穴を設けた洗浄用穴付きストーマ袋を提供する。【解決手段】ストーマ袋１の上部に栓２が付いた穴３を設けたストーマ袋とする。ストーマ袋に溜まった便を水圧によって洗浄でき、袋の交換時もストーマに付いた便も洗い落とせ、大腸洗浄は手早くなる。【選択図】図２
2011235046.tif 000002
【特許請求の範囲】
【請求項１】
ストーマ袋（１）の上部に栓（２）付き穴（３）を設けた洗浄用穴付きストーマ袋。
【発明の詳細な説明】
【技術分野】
【０００１】この発明は、ストーマ袋の上部に洗浄用の穴と栓を付けた洗浄用穴付きストーマ袋に関するものである
【背景技術】
【０００２】従来、ストーマ袋に溜まった便は人の手で搾り出しています。
【先行技術文献】
【０００３】
【特殊文献】
【非特殊文献】
【発明の概要】
【発明が解決しようとする課題】
【０００４】これは、次のような欠点があった。
（イ）ストーマ袋に溜まった便は人力によって行われています。
（ロ）ストーマ袋の交換の時はお湯を用意し、ストーマに付いた便をティシュなどをお湯に付けて、きれいに拭き取って交換をしています
（ハ）大腸洗浄は通常ストーマ袋を外して行う。
本発明は、以上のような欠点を無くすためになされたものである。
【課題を解決するための手段】
【０００５】ストーマ袋（１）の上部に栓（２）付き穴（３）を設ける。
本発明は、以上の構成により洗浄用穴付きストーマ袋である。
【発明の効果】
【０００６】（イ）洗浄用穴付きストーマ袋の穴にホースを差し入れ、水又はお湯の水圧便を流しだす。
（ロ）ストーマに付いた便をお湯の水圧できれいに洗浄し、ストーマ袋を交換できる。
（ハ）大腸洗浄の時、洗浄用具を穴から差しストーマに注入し栓をして、袋の中に排泄できる。
【図面の簡単な説明】
【０００７】
【図１】本発明の正面全体図（栓閉じ）
【図２】本発明の正面拡大図（栓開き）
【発明を実施するための形態】
【０００８】以下、本発明を実施するための形態について説明する。
ストーマ袋（１）の上部に栓（２）付きの穴（３）を設ける。栓（２）は軟硬質でしっかり閉まり、穴（３）は伸縮性のある素材を使用し大きさは差し込むホースより若干小さく、臭い止め用に穴（３）の上部を４分の１くらい切り残す。
本発明は、以上のような構造である。
これを使用するときは、ストーマ袋に溜まった便を水圧によって洗浄でき、袋の交換時もストーマに付いた便も洗い落とせ、大腸洗浄は手早くなります。
【符号の説明】
【０００９】１  ストーマ袋
２  栓
３  穴
【図１】
2011235046.tif 000003
【図２】
2011235046.tif 000004
【手続補正書】
【提出日】平成22年12月6日(2010.12.6)
【手続補正１】
【補正対象書類名】特許請求の範囲
【補正対象項目名】請求項１
【補正方法】変更
【補正の内容】
【請求項１】
伸縮素材の穴（３）を設けた洗浄用穴付きストーマ袋
【手続補正２】
【補正対象書類名】明細書
【補正対象項目名】０００８
【補正方法】変更
【補正の内容】
【０００８】以下、本発明を実施するための形態について説明する。
ストーマ袋（１）の上部に栓（２）付きの穴（３）を設ける。栓は軟硬質でしっかり閉まり、穴は伸縮性がある素材を使用し大きさは差し込むホースより若干小さく、汚れ止め用に穴の上部を４文の一くらい切り残す。
本発明は、以上のような構造である。
これを使用するときは、ストーマ袋に差し込むホースが伸縮性のある穴によって、ホースが穴と密着し水の漏水を防ぎ溜まった便を水圧で洗浄でき、袋の交換時はストーマに付いた便を綺麗に洗い落とせ容易に出来、大腸洗浄は洗浄用具のノズルがストーマに対して垂直に挿入するため違和感なく処理できる。
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
軟硬質の栓(２)と上部を４分の１くらい切り残した伸縮素材の穴(３)を設け 
た洗浄用穴付きストーマ袋
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
上部を４分の１くらい切り残した洗浄ホースによる水圧から漏水を防ぐ伸縮素材の穴(３)を設けた洗浄用穴付きストーマ袋
(57)【要約】【課題】  医療の分野において検査ごとに独立して管理・表示される医用画像データどうしを比較しやすくするための表示方法を提供する。【解決手段】  デジタルデータ化されコンピューター上で利用できる医用画像データの中から比較したい任意の医用画像データ（特に独立して管理・表示されているもので、同じ検査部位を同じ方向や断面で撮影したＣＲ、ＣＴ、ＭＲＩ等の同種モダリティから出力された医用画像データ）を選択できるようにしておく。この時ここで選択された医用画像データだけが同一の表示領域内に表示されるようにしておく。コンピューターの任意の操作（特にキーボードやマウス等による操作）で選択した医用画像データを交互に表示させる。【特許請求の範囲】
【請求項１】
コンピューター上で利用できるデジタル化された医用画像データにおいて特に独立して管理・表示される医用画像データの中から比較したい医用画像データを任意に選択し、それらだけを同一の表示領域内において交互に表示させるという方法。
【発明の詳細な説明】
【技術分野】
【０００１】  この発明は任意の医用画像データの同一表示領域内での交互表示に係り、特にコンピューターを利用した医用画像データの表示方法に関する。
【発明の概要】
【発明が解決しようとする課題】
【０００２】  医療の分野における画像診断においては病変の発見・経過等の判断のために同じ患者の検査日時の異なる複数の医用画像データどうしを比較することがある。
しかしながらフィルム等に印刷された医用画像はもちろんのことデジタルデータ化されコンピューター上で利用できる医用画像データにおいても検査ごとに独立して管理・表示されるためその比較においては従来、異なる表示領域間を目で追う等の作業をしながら見比べる必要があった。
【課題を解決するための手段】
【０００３】  デジタルデータ化されコンピューター上で利用できる医用画像データの中から比較したい任意の医用画像データを選択できるようにしておき、そしてその選択された医用画像データだけが同一の表示領域内に表示されるようにしておく。
コンピューターの任意の操作にて選択した医用画像データを交互に表示させる。
【発明の効果】
【０００４】  従来の異なる表示領域間を目で追う等の作業が必要なくなり、また同一の表示領域内において交互に医用画像データを表示させるためそこで生じる残像効果が利用でき、結果として比較したい医用画像データ間の変化をより鋭敏に見つけ出す効果がある。
【発明を実施するための形態】
【０００５】  デジタルデータ化されコンピューター上で利用できる医用画像データの中から比較したい任意の医用画像データ（特に独立して管理・表示されているもので、同じ検査部位を同じ方向や断面で撮影したＣＲ、ＣＴ、ＭＲＩ等の同種モダリティから出力された医用画像データ）を選択できるようにしておく。この時ここで選択された医用画像データだけが同一の表示領域内に表示されるようにしておく。
コンピューターの任意の操作（特にキーボードやマウス等による操作）で選択した医用画像データを交互に表示させる。
(57)【要約】【課題】従来の女性の下着洗濯後の干し場所は特別の場合を除き、多くの人達が人目に付かない場所を選んで干している。洗濯物の型崩れ、色あせ、又、洗濯物をベランダ等に天日干しにする事で盗難の恐れもある。  本発明は以上の問題点を解決する為のものである。【解決手段】乾燥容器内に熱湯を入れると、２〜３分位で気圧が上がり、温度も上昇状態の熱励起エネルギーが発生し、これを乾燥容器上部に取り付けてある電気掃除機対応吸引口より電気掃除機で吸引すると、気圧と沸騰点が下がり、熱放射が起こり、洗濯物が急速に乾燥する。【選択図】図１
2011235050.tif 000002
【特許請求の範囲】
【請求項１】
洗濯物を入れる容器を、ステンレス材質等で制作し乾燥容器内低部に熱湯を入れる為の熱湯入れ容器を設け、外部から出し入れ出来る熱湯注入口を設けて、洗濯物が熱湯入れ容器に直接触れないように、ネット状の物で洗濯物を置く網台を乾燥容器内の中段に設け、乾燥容器内の蓋は密閉式にし、上からの押え蓋タイプとし、押え蓋の適所に内側から外に突き出た電気掃除機の吸い込み対応タイプ吸引口を設け、乾燥容器内に熱湯を入れると２〜３分位で気圧が上がり、温度も上昇状態の熱励起エネルギーが発生し、これを吸引口より電気掃除機で吸引すると、気圧と沸騰点が下がり、熱放射が起こり、洗濯物が急速に乾燥することを特徴とする女性専用乾燥器。
【発明の詳細な説明】
【技術分野】
【０００１】  本発明は、女性の皆さんが悩んでいる下着洗濯後の干し場所を解消する事を目的とする。
【背景技術】
【０００２】  従来の下着洗濯後の干し場所は特別の場合を除き、ほとんどの人が人目につかない場所を選んで干している。洗濯物の型崩れ、色あせ等、細かな気づかいをしています。
【発明の開示】
【発明が解決しようとする課題】
【０００３】  その為に、次の問題点があった。
（イ）洗濯後は、洗濯物の型崩れ及び色あせなどを防ぐ為、回転ヒーター乾燥機には入れることには無理がある。
（ロ）洗濯物をベランダ等に天日干しする事で、盗難等の恐れもある。
本発明は、以上の問題点を解決しようとするものである。
【課題を解決する為の手段】
【０００４】  洗濯物を入れる容器を、ステンレス材質等で制作し、乾燥容器内底部に熱湯を入れる為の熱湯入れ容器を設け、外部から出し入れ出来る熱湯注入口を設ける。洗濯物が熱湯入れ容器に直接触れないように、ネット状の物で洗濯物を置く網台を乾燥容器内の中段に設ける。乾燥容器の蓋は密閉式にし、上からの押え蓋タイプとする。押え蓋の適所に内側から外に突き出た電気掃除機の吸込みホース対応タイプ吸引口を設ける。乾燥容器内に熱湯を入れると、２〜３分位で気圧が上がり、温度も上昇状態の熱励起エネルギーが発生し、これを吸引口より電気掃除機で吸引すると、気圧と沸騰点が下がり、熱放射が起こり、洗濯物が急速に乾燥する。
以上を特徴とする放射熱を利用した、女性下着専用乾燥器である。
【発明の効果】
【０００５】  本発明は女性下着の洗濯後の干し場所の悩みを解消し、型崩れ、色あせ等を防ぐと同時に、短時間で洗濯物を乾燥できる。
【図面の簡単な説明】
【０００６】
【図１】本発明の斜視図
【発明を実施するための最良の形態】
【０００７】  洗濯物（９）を入れる容器を、ステンレス材質等に制作し、乾燥容器（１）内低部に熱湯入れ容器（３）を設け、外部から出し入れ出来る熱湯注入口（４）と熱湯排出口（５）を設ける。洗濯物（９）が熱湯入れ容器（３）に直接触れないように、ネット状の物で洗濯物（９）を置く網台（２）を乾燥容器（１）内の中段に設ける。乾燥容器（１）の蓋は密閉式にし、上からの押え蓋（６）タイプとする。押え蓋（６）の適所に内側から外に突き出た電気掃除機対応吸引口（７）を設ける。
本発明は以上のような構造で、これを実際に使用する時は
（イ）乾燥容器（１）の押さえ蓋（６）を取り外し、洗濯物（９）を網台（２）に並列に置き、押さえ蓋（６）を取り付けて、蓋止め金具（８）を止める。
（ロ）熱湯注入口（４）より熱湯を入れる。
（ハ）熱湯をいれて、２〜３分位すると気圧が上がり温度も上昇状態の熱励起エネルギーが発生し、これを電気掃除機対応吸引口（７）より電気掃除機で吸引すると、気圧と沸騰点が下がり、熱放射が起こり、洗濯物（９）が急速に乾燥する。
【符号の説明】１  乾燥容器
２  網台
３  熱湯入れ容器
４  熱湯注入口
５  熱湯排出口
６  押え蓋
７  電気掃除機対応吸引口
８  蓋止め金具
９  洗濯物
【図１】
2011235050.tif 000003
(57)【要約】【課題】子供の学校訪問などで必要な上履きとして、折りたたみ式なのでコンパクトで携帯するのに便利。また、パンツなどの裾丈に合わせたヒールタイプであるため、洋服とのバランスを考慮した、折りたたみ式携帯用ヒールスリッパを提供する。【解決手段】スタイルを考えたヒールスリッパを持ち運び便利にするために、コンパクに折りたためるようにする。本発明は、スッリパにヒール２を取り付け、底敷５を柔軟性のある素材にすることにより折り曲げ部分３が出来る。底敷き４にクッション性のある素材を用い、履き心地を良くした。【選択図】図１
2011235043.tif 000002
【特許請求の範囲】
【請求項１】
二つ折り携帯用スリッパにヒールをつける。
【発明の詳細な説明】
【技術分野】
【０００１】本発明はヒール付きスリッパをコンパクトにできるようにし、携帯に便利なものにした。
【背景技術】
【０００２】従来は、ヒール付きの折りたたみ式携帯スリッパがなかった。
【発明概要】
【発明が解決しようとする課題】
【０００３】女性は、ヒールを履くことが多く、パンツの丈などもヒールに合わせたものが多い。
子供の学校訪問などの携帯用スリッパでは、パンツの裾を引きずってしまう難点があった。ヒール付きのスリッパだと携帯に不便があった。この二つの課題を解消するためになされたものである。
【課題を解決するための手段】
【０００４】従来のヒール付きスリッパを折りたたみ式にし、携帯に便利な用にコンパクトにした。
【発明効果】
【０００５】ヒール付きスリッパを折りたたむ事により、携帯に便利である。且つ、ヒールがある為洋服とのバランスが良い。
【図面の簡単な説明】
【０００６】
【図１】本発明の特徴を表す図である。
【図２】本発明の正面図である。
【発明を実践するための形態】
【０００７】以下、本発明の実施の形態について説明する。
（イ）．スリッパ本体１にヒール２を付け、靴底５を柔軟性のある素材にし、折り曲げ部分３ができる様にする。
（ロ）．底敷き４には、クッション性のある素材を用い、履き心地を良くする。
【符号説明】
【０００８】１  スッリパ本体
２  ヒール
３  折り曲がり部分
４  底敷
５  靴底
【図１】
2011235043.tif 000003
【図２】
2011235043.tif 000004
(57)【要約】      （修正有）【課題】雪面をとらえたり、滑らせたり、流れを止めたりするのがスムーズに出来るスキー板を提供する。【解決手段】スキー板に、２本のエッヂを設け、ゲレンデの安全、深雪、アイスバーン、やわらかな雪、新雪等での回転がスムーズに出来る。【選択図】図１
2011235047.tif 000002
【特許請求の範囲】
【請求項１】
従来のスキー板は両サイドにエッヂが１本ですが、  それを２本にしてすべってみた。
【発明の詳細な説明】
【技術分野】
【０００１】本発明は、今まで、すべりずらかったスキー板に、２本のエッヂを付けることによって、様々な雪質等に向いている。
【発明が解決しようとする課題】
一般人、初級、中級、上級の誰でもが楽しく滑れるゲレンデであってほしい。
【課題を解決する為の手段】
エッヂを２本にする事により、雪面をとらえたり、滑らせたり、流れを止めたりするのがスムーズに出来る。
【発明の効果】
タブルエッヂスキー板は、様々な雪質に強く、従来のスキー板よりスムーズに滑れる。
【図１】
2011235047.tif 000003
【手続補正書】
【提出日】平成22年8月26日(2010.8.26)
【手続補正２】
【補正対象書類名】明細書
【補正対象項目名】全文
【補正方法】変更
【補正の内容】
【発明の詳細な説明】
【技術分野】
【０００１】本発明は．今まで  滑りづらかったスキ−板に片方の両側にエッヂを２本づつ付ける事によって様々な雪質等にむいている。
【発明が解決しようとする課題】
一般人．初級者．中級者．上級者の誰もがより楽しく滑れるゲレンデであってほしい。
【課題を解決するための手段】
エッヂを片方のスキ−板４本に．することにより．雪面を滑らせたり．流れを止めたりするのがスム−ズにできる。
【発明の効果】
ダブルエッヂスキ−板は．様々な雪質に強く従来のスキ−板より．スム−ズに滑れる。
【図面の簡単な説明】
【０００２】
【図１】ダブルエッヂスキ−板の断面図である。右側にタ−ンする時．左側スキ−板の内側．ダブルエッヂで雪面をとらえ．調整しながら滑る。又．左側にタ−ンする時．右側の内側のダブルエッヂで雪面をとらえ．調整しながら滑る。
【符号の説明】
【０００３】（１）エッヂ  （２）エッヂ
（３）エッヂ  （４）エッヂ
（５）溝
(57)【要約】【課題】  本発明は、台紙を写真の裏に貼り合わせ、その上部の一角に角穴を設け、角穴に御札をはめ込み、鴨居のない洋室に祀ることができる簡易神棚を提供する。【解決手段】  台紙と写真に角穴を開け、小型の御札をはめ込み裏側に粘着テープで丁寧に固定し、表面は御札と写真は面一（つらいち）となり一体化し神棚としたことを特徴とする簡易神棚。【選択図】図２
2011235065.tif 000002
【特許請求の範囲】
【請求項１】
本発明は神棚と同一の意味を持つものなので、写真と御札は段差がないように面一（つらいち）になるようにする必要があり、台紙を写真の裏に貼り合わせ、その上部の一角に角穴を設け、角穴のサイズは、授与してもらった御札に合わせた大きさとし、台紙の裏の適所に両面テープを設けたことを特徴とする簡易神棚。
【発明の詳細な説明】
【技術分野】
【０００１】  本発明は、台紙を写真の裏に貼り合わせ、その上部の一角に角穴を設け、角穴に御札をはめ込み、鴨居のない洋室に祀ることができる簡易神棚に関するものである。
【背景技術】
【０００２】  従来、神棚は鴨居の上に棚を設け、その上に祀るものであった。
メートル法のない時代、尺貫法で御札は８寸（約２４ｃｍ）であった。
【発明の概要】
【発明が解決しようとする課題】
【０００３】  そのために、次のような問題点がある。
（イ）現代の部屋は洋室で鴨居がなく棚を設ける場所がない。
（ロ）神棚は高い場所に置く必要があり圧迫感があり、いまの住宅になじまない。
（ハ）写真に御札をはめ込むには、現行の御札は大きすぎ、約１０ｃｍの小型の御札を授与してもらう。
本発明は、これらの問題点を解決されるためになされたものである。
【課題を解決するための手段】
【０００４】  本発明は、神棚と同一の意味を持つものなので、写真（２）と御札（４）は段差がないように面一（つらいち）になるようにする必要がある。
台紙（１）を写真（２）の裏に貼り合わせ、その上部の一角に角穴（３）を設け、角穴（３）のサイズは、授与してもらった御札（４）に合わせた大きさとする。
台紙（１）の裏の適所に両面テープを設ける。
以上のように構成された簡易神棚である。
【発明の効果】
【０００５】  本発明は神棚をほとんど持たない現代建築の家屋においては取り付け場所の自由度が高く、部屋のレイアウトに適した場所を選択して壁に掛けることができる。
【図面の簡単な説明】
【０００６】
【図１】  本発明の台紙と写真を示した斜視図である。
【図２】  本発明の一部である写真に角穴を設け、お札を角穴にはめ込む状態を示した斜視図である。
【発明を実施するための形態】
【０００７】  以下、本発明の実施の形態について説明する。
写真（２）と御札（４）は、段差のないように面一（つらいち）になるようにする必要がある。
台紙（１）を写真（２）の裏に貼り合わせ、その上部の一角に角穴（３）を設ける。
角穴（３）のサイズは授与してもらった御札（４）に合わせた大きさにし、台紙（１）の裏の適所に両面テープを設ける。
本発明は以上のような構造である。
本発明を実際に使用するときは、授与してもらった御札（４）を角穴（３）にはめ込み、台紙（１）の剥離紙を剥がして部屋の壁の適所に貼り付ける。
もし、部屋の高所に適当な設置場所がある場合は、貼り付けることなく、そこに置くだけでもよい。
写真（２）は、絵画、ポスター、ブロマイド、カレンダー等にしてもよい。
【符号の説明】
【０００８】  １  台紙
２  写真
３  角穴
４  御札
【図１】
2011235065.tif 000003
【図２】
2011235065.tif 000004
(57)【要約】      （修正有）【課題】書棚、卓上本立て等に立て掛けた本、ファイル等が使用しているうちに将棋倒しになって非常に不便だった。これを防止するための簡便な器具を実現し、提供する。【解決手段】柔軟性並びに弾性に富む素材を使用して薄い皮膜の山形の中空体１を基盤２上に形成し台紙３に取り付け、これを書棚や本立ての背板の前面に設置する。中空体１に向かって本、ファイル等を押し付けて立掛けることで、中空体１が変形し、倒れないように保持することが出来る。【選択図】図１
2011235062.tif 000002
【特許請求の範囲】
【請求項１】
柔軟性並びに弾性に富む素材を使用して薄い皮膜より成る山形の中空体を基盤上に形成したことを特徴とする書籍保持具。
【発明の詳細な説明】
【技術分野】
【０００１】  本発明は、書棚や卓上本立て等に立て掛けた本やファイル等が将棋倒しになるのを防止する器具に関する。
【背景技術】
【０００２】  従来、書棚や卓上本立て等に立て掛けた本やファイル等が使用するうちに将棋倒しになり大変な不便を経験したが、それを防止する簡便な器具は存在しなかった。その理由の一つは防止する器具の構造が複雑でコスト高のためと考えられる。
【発明の概要】
【発明が解決しようとする課題】
【０００３】  前項に述べたように、本等が将棋倒しになるのを防止する器具を実現しょうとするものであるが、従来であれば使用しているうちに本と本との間に隙間が生じて一冊が倒れ、次々と倒れ掛かって将棋倒しになったが、本発明によれば一冊の本でも倒れずに直立したままなので将棋倒しになることはない。しかも、構造がシンプルで故障も半永久的に使用できる簡便な器具を提供することを目的とするものである。
【課題を解決するための手段】
【０００４】  図１に基づいて説明すると、ゴムや合成樹脂等の柔軟性並びに弾性に富む素材を使用して基盤（２）上に円錐台形やド−ム形等の山形の薄い皮膜より成る中空体（１）を形成し、必要に応じて台紙（３）に取り付けた構造より成る。
【発明の効果】
【０００５】  本発明は以上のように構成されているので図３に示すように書棚等の背板（５）の前面に設置してから本（４）等を中空体（１）に押さえつけるように立て掛けると本（４）の小口（７）が中空体（１）に食い込んで本（４）をしっかりと保持して倒れるのを防止する。【０００６】  中空体（１）の素材は柔軟性と弾性に富むものを使用して薄膜状に成形すれば本（４）の小口（７）の押しつける力によってスム−ズに変形し、皺が生じる。この皺が小口（７）をしっかりと保持して本（４）が倒れるのを防止できるわけである。【０００７】  さらに、本（４）を引き抜けば中空体（１）の弾性によって直ちに原状回復するので何度でも使用できる。
【図面の簡単な説明】
【０００８】
【図１】本発明の実施形態を示す斜視図
【図２】本発明の実施形態を示す側面図
【図３】本発明の実施形態の使用状況を示す側面図
【図４】中空体の形状例を示す斜視図
【発明を実施するための形態】
【０００９】  本発明を実施するたのポイントは中空体（１）の素材並びにその形状の決定にあると考えられる。
【００１０】  先ず、中空体（１）の素材としては、ゴム、合成樹脂が適当である。
ゴム−−−天然ゴム、合成ゴム
合成樹脂−−−シリコ−ン、ポリウレタンエラストマ−
いずれも柔軟性と弾性に優れた特性を有する。特にポリウレタンエラストマ−はゴムのような特性を持ちながら加硫，硬化反応工程がないため生産性が良好である。
【００１１】  次に、中空体（１）の形状としては図４に示すように、円錐台形（Ａ）やド−ム形（Ｂ）が最適である。その理由は本（４）の小口（７）の押圧によってスム−ズに変形し皺が生じて小口（７）の食い込みが著しく本（４）をしっかりと保持できるからである。そのためには中空体（１）の皮膜は薄く形成することが要求される。
【００１２】  なお、図３に示すように中空体（１）を基盤（２）を台紙（３）に貼り付けると書棚の背板（５）の前面に設置して使用するのに便利である。
【００１３】  金型による成型が可能で大量生産に最適である。
【符号の説明】
【００１４】１  中空体
２  基盤
３  台紙
４  本
５  背板
６  底板
７  小口
（Ａ）  円錐台形
（Ｂ）  ド−ム形
【図１】
2011235062.tif 000003
【図２】
2011235062.tif 000004
【図３】
2011235062.tif 000005
【図４】
2011235062.tif 000006
(57)【要約】      （修正有）【課題】従来から靴下を重ね履きや厚手のフエルト質生地や起毛質生地を用いた靴や中敷きで防寒対策を必要としており、履き心地を良くし、防寒を十分にする。【解決手段】断熱性能と柔軟性能を有する発泡プラスチック製シートを用いて、足先から足首まで覆い、厳寒による足の冷えを全方向で防寒できる靴下型防寒装身具。【選択図】図３
2011235069.tif 000002
【特許請求の範囲】
【請求項１】
断熱性能と柔軟性能を有する発泡プラスチック製シートを用いて、足先から足首まで覆い、厳寒による足の冷えを全方向で防寒できる靴下型防寒装身具。
【請求項２】
容易に足に装着できるよう袋状に成形し、袋状の端末部には足首に巻き付け装着力を高めることができるよう羽根を設けた請求項１の靴下型防寒装身具。
【発明の詳細な説明】
【技術分野】
【０００１】  本発明は、断熱性能と柔軟性能を有する発泡プラスチック製シートを用いて、足先から足首まで覆い、厳寒による足の冷えを全方向で防寒できる靴下型防寒装身具に関する。
【背景技術】
【０００２】  従来から足先や足首の防寒対策に、木綿製や化繊製などの靴下を重ね履きが一般的であった。
しかし、二枚重ね、三枚重ねをすると靴の履き心地が悪くなったり、靴が履けなかったりしていたため、重ね履きに限界があり十分な防寒対策ができなかった。【０００３】  一方、靴自体が保温性を高めるため、靴の内側に厚手のフエルト質生地や起毛質生地を用いたものがあった。
しかし、足と靴の間に隙間ができ、歩く、走るなどの運動に靴内部に溜められた熱が逃げてしまし、防寒効果が弱かった。【０００４】  また、靴の内底に挿入して使用する中敷きも保温性能に優れる生地を用いたものが多く知られているが、足の裏より伝わる冷えの防寒効果はあるが、足の甲側や側面側から伝わる冷えは防げなかった。
【先行技術文献】
【特許文献】
【０００５】
【特許文献１】特開２００３−２２１７０４号  公報
【特許文献２】特開２００６−２８９０１９号  公報
【発明の概要】
【発明が解決しようとする課題】
【０００６】  本発明は上記課題に対し、足先から足首まで全方向から伝わる冷えに対し防寒を目的とした装身具を提供するものである。
【課題を解決するための手段】
【０００７】  本発明は諸課題を解決するために、
請求項１では、断熱性能と柔軟性能を有する発泡プラスチック製シートを用い、足先から足首までを覆い、厳寒による足の冷えを全方向で防寒できる靴下型防寒装身具とするものである。【０００８】  ここで、断熱性能と柔軟性能を有する発泡プラスチック製シートは、ポリエチレン樹脂やポリプロピレン樹脂またはポリスチレン樹脂など樹脂素材をシート状に発泡成形させたものを指し、シートの厚みは０．５ｍｍ〜３ｍｍ程度が好ましい。【０００９】  さらに好ましい厚みは、１ｍｍ〜１．５ｍｍ程度が最も好ましい。【００１０】  また、請求項２では、前記装身具の装着を容易にするため袋状に加工し、端末部を羽根形状として足首に巻き付け装着力を高めたことを特徴とするものである。【００１１】  ここで、袋状にするため熱溶着や接着や縫製加工にて成形しても良い。【００１２】  袋寸法は装着する足の寸法より１ｃｍ程度大きいのが好ましい。【００１３】  そして、端末部の羽根は、足首に巻き付けられる十分な長さと幅を有しなくてはならず、長さは足の甲側は２５ｃｍ程度とし、足の裏側は３５ｃｍ程度が好ましく、幅は足の甲側、足の裏側共に１０ｃｍ程度が好ましい。
【発明の効果】
【００１４】  本発明は以下の効果を奏する。
１）足先から足首まで覆うことができるため、厳寒による足の冷えに対し全方向で防寒ができる。
２）足の大きさや足の形または歩く、走るなどの運動による足の変形にも柔軟かつ追従するため、防寒効果が損なわれない。
【図面の簡単な説明】
【００１５】
【図１】本発明の単体の実施例を示す斜視図
【図２】本発明の単体に足を挿入し、足の甲側端末部の羽根を足首に巻き付けた状態を示す斜視図。
【図３】本発明の単体に足を挿入し、足の裏側端末部の羽根を足首に巻き付けた状態を示す斜視図。
【発明を実施するための形態】
【００１６】  本発明は、断熱性能と柔軟性能を有する発泡プラスチック製シートを用いて、足先から足首までを覆い、厳寒による足の冷えを全方向で防寒できる靴下型防寒装身具である。
【実施例１】
【００１７】  図面に基づいて説明すると、図１は本発明の単体図である。断熱性能と柔軟性能を有する発泡プラスチック製シート足の甲側１と足の裏側２にて、足に装着できるよう袋状になっている。【００１８】  この足の甲側１の端末部には羽根１ａが設けてあり、足の裏側２の端末部には羽根２ａが設けてある。【００１９】  足３の過度な蒸れを防ぐため通気孔４を要所に設けても良い。【００２０】  図２は、本発明を足に装着し羽根１ａを足首に巻き付けた状態である。【００２１】  図３は、本発明を足に装着し羽根２ａを足首に巻き付けた状態である。
【産業上の利用可能性】
【００２２】  厳寒の中に身を置く仕事やスポーツやレジャーの分野へ利用可能性がある。
【符号の説明】
【００２３】１    断熱性能と柔軟性能を有する発泡プラスチック製シート足の甲側
１ａ  足の甲側羽根
２    断熱性能と柔軟性能を有する発泡プラスチック製シート足の裏側
２ａ  足の裏側羽根
３    足
４    通気孔
【図１】
2011235069.tif 000003
【図２】
2011235069.tif 000004
【図３】
2011235069.tif 000005
(57)【要約】      （修正有）【課題】風の少し強い日や、突風等が吹いた日に物干し竿に干してある洗濯物が、物干し竿の上をスライドして洗濯物が重なり乾燥が不十分（特に冬場）で当日に洗濯物を取り入れることができない。【解決手段】摩擦製の高いゴム板上部に凸部を、等間隔で無数に付けてある形状のゴム板を、物干し竿に取り付けることで洗濯物を架けて干してあるハンガーが、少し強い風や突風で物干し竿の上をスライドすることなく洗濯物と洗濯物の間を風がよく通りより早くよく乾燥する。【選択図】図２
2011235063.tif 000002
【特許請求の範囲】
【請求項１】
物干し竿に貼り付けるゴム板で、大豆程の凸部が  洗濯物を架けて干してあるハンガーの滑り止めとして、ゴム板上部に等間隔で無数に付けてある型のゴム板。
【発明の詳細な説明】
【技術分野】
【０００１】本発明は  物干し竿にハンガー等に架けて干してある洗濯物が、風の少し強い日や  突風などで洗濯物が  物干し竿の上をスライドして重なり合わないよう  又洗濯物と洗濯物の間に、風がよく通るように考案したものである。
【背景技術】
【０００２】従来の物干し竿は  素材がプラスチック製やステンレス製で製造されているため  表面がツルツルして滑りやすい特性であった。
【発明の開示】
【発明が解決しようとする課題】
【０００３】少し風の強い日や突風などが吹いた日に、滑りやすい物干し竿に  ハンガーに架けて干している洗濯物が、どうすればスライドしないか。
【課題を解決するための手段】
【０００４】従来の物干し竿の一部に、摩擦製の高いゴム板で  ゴム板上部に等間隔で  大豆ほどの凸部を無数につけ滑りにくくする物を貼り付ける。
【発明の効果】
【０００５】従来の物干し竿にゴム板を取り付ける事により、物干し竿の上を洗濯物が滑って重なり  半乾燥になる事はない。従来の物干し竿の下部に無数のフックをつけ  ハンガーを架ける製品もあるが、突然の降雨の時にはフック式より  本製品の方が  洗濯物の取り入れは  断然早い。
【発明を実施するための最良の形態】
【０００６】ゴム板は  物干し竿と同じ長さで、厚さ１ｍｍ〜２ｍｍ、幅  １０ｍｍ〜３０ｍｍ、上部には大豆程の凸部を無数に  等間隔で付けてある形態の物。
【図面の簡単な説明】
【０００７】
【図１】［符号の説明］▲１▼ゴム板正面図  ▲２▼ゴム板側面図  ▲３▼ゴム板上部の凸部
【図２】［符号の説明］▲４▼物干し竿にゴム板を取り付けた上面図  ▲５▼物干し竿にゴム板を取り付けた側面図  ▲６▼物干し竿
【図１】
2011235063.tif 000003
【図２】
2011235063.tif 000004
(57)【要約】【課題】室内で洗濯物を干すとき、梅雨時期は乾きが遅いので速く乾かしたい。そしてブラウスなどは取り出してからハンガーにかけ直す必要があるのでその手間を省きたい。乾燥機は高額かつ電気代も高いし設置場所を変更できない。これらを全て解消できる安価省エネ型の持ち運び可能な簡易乾燥器具の提供。【解決手段】わかりやすくツリー型スタンドを例に説明すると、枝に洗濯物を掛けて、幹からの送風で速い乾燥は解決出来る。つまり本発明で言えば、棒に洗濯物を掛けて、心棒内部の回転板からの送風で速く乾燥できるし、この器具は軽量なので容易に持ち運びできる。【選択図】図１
2011235061.tif 000002
【特許請求の範囲】
【請求項１】
室内で枝部分に洗濯物を大量に掛けることの出来るツリー型スタンドの木の幹にあたる、ここでは心棒と呼称している部分、つまり内側からの送風で洗濯物を速く乾燥させる器具。
【発明の詳細な説明】
【技術分野】
【０００１】本発明は名前の通り、洗濯物を内側からの送風により早く乾燥させることが出来るようにしたツリー型の洗濯物干しスタンドである。
【背景技術】
【０００２】従来、洗濯物は外に干すのが常識であったが、近年、様々な理由で部屋干しが増えたが洗濯物が早く乾かないのが悩みの種である。【０００３】最近の全自動洗濯機は性能も上がって乾燥まで出来るようになったが、やや湿っぽいのと熱を加えるので電気代が嵩むのが難点である。【０００４】乾燥機は本発明と比べると高額で、ランニングコストも高いし、設置場所が制限されるし、ハンガーにかけたままで乾燥させることは出来ない。
【先行技術文献】
【特許文献】
【０００５】
【特許文献１】
【特許文献２】
【非特許文献】
【０００６】
【非特許文献１】
【非特許文献２】
【発明の概要】
【発明が解決しようとする課題】
【０００７】室内で洗濯物を大量に早く乾かせ、設置場所を容易に変更出来る器具の提供。
【課題を解決するための手段】
【０００８】本発明は、垂直で適当な太さの心棒に枝状に配した棒で形成されたツリー型スタンドを内側送風式洗濯物干しスタンドと呼称し、これに洗濯物を掛けて、送風し早く乾かすことを目的とするが、スタンドの外側からではなく内側の心棒部分からの送風でまんべんなく風を当てて洗濯物を乾かせることを特長とする器具である。具体例として心棒の内部に回転板を取り付け送風することで可能になる。この時に送風を妨げないように心棒の必要な部分を開放し、この部分を網状のパーツ等で覆って危険防止をする。心棒の適当な高さ部分に枝状に棒を取り付け、これに洗濯物をかけられるようにする。この器具は軽量であるため容易に持ち運びが出来るし、キャスターを付けることも可能である。
【発明の効果】
【０００９】本発明の効果は安価であることに加え、熱を加えないので生地を傷めずに乾燥できるし、ブラウス等はハンガーに掛けての乾燥なので、そのまま取り込めるのが便利であるし、容易に設置場所を変えることが出来る。
【図面の簡単な説明】
【００１０】
【図１】▲１▼心棒は、ツリー型スタンドの垂直部分で、内部に回転板がある。▲２▼回転板は、これを回転させることで送風するためのパーツである。▲３▼棒とは、洗濯物を干すパーツである。▲４▼支柱とは、心棒が倒れないようにする支えのパーツである。▲５▼回転軸とは、モーターと回転板を結ぶパーツである。▲６▼モーターとは、その名の通りであるが必ずしも図面のように心棒の内部に入る必要はなくはみ出しても良い。
【発明を実施するための形態】
【００１１】室内に干した洗濯物に熱を加えずに送風だけで速く乾燥させる器具であるが、外側からではなく内側からまんべんなく風を当てることを特長とする。
【実施例】
【００１２】洗濯物を干すスタンドを作り、この心棒の内部に回転板を取り付け、これによる送風で洗濯物を乾かすが、材質は特に問わない。
【産業上の利用可能性】
【・・・・】
【符号の説明】
【・・・・】
【受託番号】
【・・・・】
【図１】
2011235061.tif 000003
(57)【要約】【課題】  カーテンレール上面の埃は長い間にかなりたまり、衛生上良くないし、掃除するのが面倒である。【解決手段】  本体１を通常カーテンランナーを取り付ける位置の一番中央寄りと端から一番目か二番目くらいの所の二箇所、一本のカーテンレールに計四箇所取り付けることで、カーテンの開け閉めによって本体１が動き、はたき状の部分２と４で、カーテンレール上面の埃をきれいにできるようにした。【構成】  プラスチックでできたカーテンランナーからカーテンレール上面へかぶせるようにのびる形状にし、そこへはたき状の部分２を組み合わせ、カーテンレール上面の埃をきれいに出来るようにする。さらに、カーテンレールの端まできれいに出来るように棒状３をのばし、その先に同じようにはたき状の部分４を組み合わせる。【選択図】図２
2011235058.tif 000002
【特許請求の範囲】
【請求項１】
通常、カーテンランナーを取り付ける位置の一番中央寄りと端から一番目か二番目くらいの所の二箇所、一本のカーテンレールに計四箇所に本体１を取り付けることによって、カーテンの開け閉めの時に本体１が動き、はたき状の部分２と４で、カーテンレール上面の埃をきれいにするカーテンランナー。
【発明の詳細な説明】
【技術分野】
【０００１】  本発明は、本体１を通常カーテンランナーを取り付ける位置の一番中央寄りと端から一番目か二番目くらいの所の二箇所、一本のカーテンレールに計４箇所取り付けることで、カーテンの開け閉めによって本体１が動き、はたき状の部分２と４でカーテンレール上面の埃をきれいにするようにしたものである。
【発明が解決しようとする課題】
【０００２】  カーテンレール上面の埃は、長い間にかなりたまり、衛生上良くないし、掃除するのが面倒なので、本発明はこの課題を解消するためになされたものである。
【課題を解決するための手段】
本体１を通常カーテンランナーを取り付ける位置の一番中央寄りと端から一番目か二番目くらいの所の二箇所、一本のカーテンレールに計４箇所取り付けることで、カーテンの開け閉めによって、本体１が動き、はたき状の部分２と４で、カーテンレール上面の埃をきれいにするようにした。
【発明の効果】
このようにすれば、面倒な掃除をしなくても、カーテンレール上面に埃がたくさんたまる前に、きれいにすることができる。
【図面の簡単な説明】
【図１】  カーテンランナーの正面図
【図２】  カーテンランナーの側面図
【発明を実施するための形態】
プラスチックでできたカーテンランナーから、カーテンレール上面へかぶせるようにのびる形状にし、そこへはたき状の部分２を組み合わせ、カーテンレール上面の埃をきれいに出来るようにする。さらに、カーテンレールの端まできれいに出来るように棒状３をのばし、その先に同じようにはたき状の部分４を組み合わせる。
【符号の説明】  １  本体
２  はたき状の部分
３  棒状
４  はたき状の部分
【図１】
2011235058.tif 000003
【図２】
2011235058.tif 000004
(57)【要約】      （修正有）【課題】従来の真っすぐなハンディーモップでは電球や置物などの球曲面を有する物の清掃や置物の背面やその後方の平坦面を清掃する際、置物を持ち上げて清掃するか奥の方まで手を差し込んでしなければならず面倒で手間がかかっていた。この面倒で手間のかかる清掃を楽に素早く清掃できるとともに平坦面にも対応して清掃ができるモップを提供する。【解決手段】持ち手柄部２と清掃シート取り付け部１からなるハンディーモップ本体において、先端から任意の範囲にカーブした曲面の形状５にし、その部分を先端に向かうほど徐々に柔軟性を高める構造にする。背面や球曲面などは柔軟性のあるカーブ部分が曲面にフィットして清掃出来、平坦面はカーブ部分を押し付けることで真っすぐになり、曲面と平坦面のどちらにも対応して清掃することができる。【選択図】図２
2011235052.tif 000002
【特許請求の範囲】
【請求項１】
柄と清掃シートの取り付け部からなる清掃具本体において本体先端から任意の範囲においてカーブ曲線をともなった形状をした清掃面を有することを特徴とする清掃具。
【請求項２】
柄と清掃シートの取り付け部からなる清掃具本体において本体先端から任意の範囲においてカーブ曲線の清掃シート取り付け部を先端に向かうほど徐々に柔軟性を高める構造にした清掃面を有することを特徴とする清掃具。
【発明の詳細な説明】
【技術分野】
【０００１】この発明は、持ち手柄部と清掃シート取り付け部からなるハンディーモップにおいてハンディーモップ本体の先端から任意の範囲にカーブした曲線面の形状にし、その曲線面部分を先端に向かうほど柔軟性を徐々に高まるように形成したもので、置物の背面やその後方など清掃に手間がかかっていた箇所や曲面や平坦面のどちらにも対応して素早くきれいに清掃できるようにしたカーブハンディーモップに関するものである。
【背景技術】
【０００２】従来、ハンディーモップは真っすぐな形状をしており、平坦面の清掃が主で先端部分が多少柔軟なものでも真っすぐな形状のため置物の背面や曲線にフィットして清掃するのが難しかった。
【発明の概要】
【発明が解決しようとする課題】
【０００３】従来の真っすぐなハンディーモップでは電球や置物などの球曲面を有する物の清掃や置物の背面やその後方の平坦面を清掃する際、置物を持ち上げて清掃するか奥の方まで手を差し込んでしなければならず面倒で手間がかかっていた。この面倒で手間のかかる清掃を楽に素早く清掃できるとともに平坦面にも対応して清掃ができるようにすることを得るにあたる。
【課題を解決するための手段】
【０００４】持ち手柄部と清掃シート取り付け部からなるハンディーモップ本体において先端から任意の範囲にカーブした曲面の形状にし、その部分を先端に向かうほど徐々に柔軟性を高める構造にすることで、置物の背面や球曲面などは柔軟性のあるカーブ部分が曲面にフィットして清掃出来、平坦面はカーブ部分を押し付けることで真っすぐになって清掃できるので曲面と平坦面のどちらにも対応して清掃することができる。
【発明の効果】
【０００５】ハンディーモップ先端の柔軟なカーブ部分により球面や曲面などの形状に対応してスムーズに清掃ができる。【０００６】ハンディーモップの先端がカーブしているので置物を持ち上げたり、手を回し込んだりしなくても楽に置物の背面やその後方の清掃ができる。【０００７】先端のカーブ部分に先端に行くほど徐々に柔軟性を高める構造にすることで平坦面にカーブ部分を押し付ければカーブ部分が真っすぐになることにより平坦面でもきれいに清掃できる。
【発明を実施するための最良の形態】
【０００８】以下、本発明を実施するための最良の形態について説明する。
任意の接続機構部（８）を介して接続される持ち手柄部（２）と清掃シート取り付け部（１）からなるハンディーモップ本体において本体の清掃シート取り付け部の先端（３）から任意の範囲にカーブした面（５）を設け、その部分に先端に向かうほど柔軟性が徐々に高まるように任意形状のスリット（４ａ）や任意の厚みや形状（４ｂ）に形成し、清掃シート取り付け部には任意の形状のズレ防止突起（６ａ、６ｂ）と清掃シート（１０）を留める清掃シート押え具（７）を設け、持ち手柄部に高所の清掃が出来るように継柄を取り付けるための継柄接続部（９）を備えた構造のものである。
【図面の簡単な説明】
【０００９】
【図１】本発明の正面図である。
【図２】本発明の斜視図である。
【図３】本発明の側面図である。
【図４】本発明の清掃シートを取り付けた斜視図である。
【符号の説明】
【００１０】１    ハンディーモップ清掃シート取り付け部
２    ハンディーモップ持ち手柄部
３    ハンディーモップ本体の先端部
４ａ  本体先端部に向かって徐々に柔軟性が増すようにした任意のスリット形状部
４ｂ  本体先端部に向かって徐々に柔軟性が増すようにした任意の厚み形状部
５    本体先端から任意の範囲のカーブ面形状部
６    清掃シート捻れズレ防止の任意の突起形状部
７    清掃シート押え具
８    ハンディーモップ持ち手柄部と清掃シート取り付け部を接続する任意の接続機構部
９    ハンディーモップ本体を壁掛けするための穴と高所清掃用の継柄を接続するための      継柄接続部
１０  清掃シート
【図１】
2011235052.tif 000003
【図２】
2011235052.tif 000004
【図３】
2011235052.tif 000005
【図４】
2011235052.tif 000006
(57)【要約】【課題】  便器を清潔にするオン、オフ、ライトを提供する。【解決手段】  小便をする時に、便座を上げるとオン、おろすとオフ、のライトつき便座。【選択図】図１
2011235056.tif 000002
【特許請求の範囲】
【請求項１】
洋風便器の便座に便器を照らすライトをつけ、便器を照らし便器を明るくすることで清潔にて小便を外にこぼすことを防ぐライト付き便座。
【発明の詳細な説明】
【技術分野】
【０００１】本発明は、便座にライトを付け便器を照らし明るくすることで便器を小便などで汚さずに清潔にするライト付き便座に関するものである。
【背景技術】
【０００２】従来、便所は照明が暗く清潔には出来なかった。
【発明の開示】
【発明が解決しようとする課題】
【０００３】そのために、次のような問題点があった。
照明が暗いため便器の汚れや小便をこぼしたりする事があった
本発明は、以上の問題点を解決しようとするものである。
【課題を解決するための手段】
【０００４】便座にライトをつけ便器を照らすことにより清潔にし、又小便をこぼさずにするライトつき便座である。
【発明の効果】
【０００５】本発明は、便器を便座のオンオフライトで照らすことにより便器を清潔に保つことである。
【発明を実施するための最良の形態】
【０００６】以下、本発明の実施の形態を説明する。
小便をする時はオン、オフ、ライト（３）のついた便座（１）を上げて小便をする。  本発明は以上の構成よりなっている
【図面の簡単な説明】
【０００７】
【図１】  本発明の斜視図
【符号の説明】
【０００８】１  便座
２  便器
３  オン、オフ、ライト
【図１】
2011235056.tif 000003
(57)【要約】【課題】固い材質でできていたまな板では切った具材を鍋に移すときに、横からこぼれそうになり又、薄く曲がる材質でもまな板の両辺を両方の手で持ち、鍋に入れるものであったため、具材をうまく鍋、又はボールに掻き出すことは不可能だった。  本発明は、片手で持てば自然と湾曲する取手付きまな板を提供する。【解決手段】薄く自在に曲がる長方形状板（１）からなる板の片方の辺の真ん中に引っ掛け穴（２）を開け、その辺の二つの角（３）を内側におり、その内部を一回り小さく持ち手穴（４）を開け持ち手とすることを特徴とする。【選択図】図１
2011235057.tif 000002
【特許請求の範囲】
【請求項１】
薄く自在に曲がる  長方形状板（１）の片方の辺の真ん中に  引っ掛け穴（２）を開け、その辺の二つの  角（３）を内側におり、その内部に  持ち手穴（４）を開けたことを特徴とする取手付きまな板。
【発明の詳細な説明】
【技術分野】
【０００１】  本発明は、取手の付きで握れば自然に曲がる、取手付きまな板に関するものである。
【技術背景】
【０００２】  従来、まな板といえば固く曲がらない材質でできていたおり取手も付いていなかった。
なお、曲がる材質で正方形の中に円の目盛りが書いてあるシート状のまな板が知られている。（特許文献１参照）
【先行技術文献】
【０００３】
【特許文献１】  特開２００４−１３６０５８号公報
【発明の開示】
【発明が解決しようとする課題】
【０００４】そのため次のような問題点があった。
（イ）  固い材質でできていたまな板では切った具材を鍋に移すときに、横からこぼれていた。
（ロ）  薄く曲がる材質でもまな板の両辺を両方の手で持ち鍋に入れるものであったため具材をうまく鍋、又はボールに掻き出すことは不可能だった。
本発明は以上の問題点を解決するためになされたものである。
【課題を解決するための手段】
【０００５】薄く自在に曲がる  長方形状板（１）の片方の辺の真ん中に  引っ掛け穴（２）を開け、その辺の二つの  角（３）を内側に折り、その内部を一回り小さく  持ち手穴（４）を開け持ち手とする。
以上を特徴とする取手付きまな板。
【発明の効果】
【０００６】  従来、固く取っての付かないまな板だと切った具材を鍋に移すときこぼしていたが、本発明により片手で持てばまな板が自然と曲がり切った具材が包み込まれるようになるためこぼさずにもう片方の手で具材を掻き出すように鍋、又はボールに入れることが可能になった。
【図面の簡単な説明】
【０００７】
【図１】本発明の斜視図である。
【図２】本発明の使用状態を示す斜視図である。
【発明を実施するための最良の形態】
【０００８】以下、本発明の実施の形態を説明する。
（イ）薄く自在に曲がる  長方形状板、（１）
（ロ）長方形の板（１）の片方の短い辺の真ん中に、引っ掛け穴、（２）を開ける。
（ハ）板（１）に、ふたつの角、（３）をたてる。
（二）二つの角（３）の部分の中に一回り小さな三角の穴を開け、持ち手穴、（４）にする。
本発明は以上のような構造である。
本発明を使用するときは、（１）の上で具材を切り  持ち手穴、（４）に片方の手の指を外からいれ  持ち手穴、（４）に指を入れた状態で手を握れば、同時に  長方形状板（１）も曲がり具材を包み込む。そのまま持ち上げてそのまま鍋、又はボールにいれる。その時に片方の手で具材を掻き出すことができる。
【符号の説明】
【０００９】  １、長方形状板、
２  引っ掛け穴
３  角、
４  持ち手、
【図１】
2011235057.tif 000003
【図２】
2011235057.tif 000004